(57)【要約】【課題】近距離の音声と遠距離の音声とを別々に記録した音声データとともに動画を再生する際に、より臨場感をもたせることができる画像音声再生装置を提供。【解決手段】画像音声再生装置１０は、近距離音声と遠距離音声とを別々に記録した音声データとともに動画像を再生する際に、画像データを信号処理して、再生ズーム操作に応じて画像の大きさを拡大または縮小処理して画像信号１１４を出力する。また、再生される音声信号に対して、この再生ズーム操作に応じて近距離音声と遠距離音声との音量バランスが変化するように調整して左音声信号１２８、右音声信号１３０および遠距離音声信号１３２を生成する。これらの音声信号１２８、１３０および１３２を、ミキシング回路３０において合成処理して、左出力音声信号１３４および右出力音声信号１３６を出力し、臨場感のある動画再生を実現している。【選択図】        図１
2004343293.tif 000002
【特許請求の範囲】
【請求項１】
画像データ、ならびに該画像データの被写界において手前側の音声を記録した近距離音声データおよび奥側の音声を記録した遠距離音声データを再生する際に、前記画像データ、ならびに前記近距離音声データおよび前記遠距離音声データから、それぞれ画像信号、ならびに第１の音声信号および第２の音声信号を生成する信号処理手段を含む画像音声再生装置において、該装置は、
前記画像データで表わされる画像の拡大および縮小を操作する操作手段と、
第１の音声信号および第２の音声信号を合成処理して、第３の音声信号を出力する音声信号合成手段とを含み、
前記信号処理手段は、前記操作手段の操作に応じて、前記画像データで表わされる画像を変化させて画像信号を生成し、前記近距離音声データおよび前記遠距離音声データで表わされる音声を変化させて、それぞれ第１の音声信号および第２の音声信号を生成することを特徴とする画像音声再生装置。
【請求項２】
請求項１に記載の画像音声再生装置において、前記信号処理手段は、前記操作手段の操作に応じて、前記画像データで表わされる画像を拡大または縮小して前記画像信号を生成し、前記近距離音声データと前記遠距離音声データとを相対的に増幅または減衰して第１の音声信号および第２の音声信号を生成することを特徴とする画像音声再生装置。
【請求項３】
請求項１または２に記載の画像音声再生装置において、前記音声信号合成手段において出力する第３の音声信号は、左音声を表わす第３の左音声情報と右音声を表わす第３の右音声情報とを含むことを特徴とする画像音声再生装置。
【請求項４】
請求項１ないし３のいずれかに記載の画像音声再生装置において、前記近距離音声データは、左音声および右音声を含み、
前記信号処理手段において前記近距離音声データから生成する第１の音声信号は、左音声を表わす第１の左音声情報と右音声を表わす第１の右音声情報とを含むことを特徴とする画像音声再生装置。
【請求項５】
請求項１ないし４のいずれかに記載の画像音声再生装置において、前記遠距離音声データは、左音声および右音声を含み、
前記信号処理手段において前記遠距離音声データから生成する第２の音声信号は、左音声を表わす第２の左音声情報と右音声を表わす第２の右音声情報とを含むことを特徴とする画像音声再生装置。
【発明の詳細な説明】
【０００１】
【発明の属する技術分野】
本発明は、近距離および遠距離の音声を別々に記録した音声データとともに動画像を再生することができる画像音声再生装置に関するものである。
【０００２】
【従来の技術】
従来から、臨場感を伴った動画像を再生させるために、たとえば、被写体の画像および音声を撮影して動画像を記録する際に、ズーム機構を備えて被写体をズームアップまたはズームダウンするビデオカメラ装置などが知られている。このとき、装置に内蔵される内蔵マイクと被写体近辺に配置される外部マイクとを備えて、ズーム倍率が高倍率のときは被写体付近の音声をより多く収録し、低倍率のときは、装置付近の音声をより多く収録することによって、画像に合致した音声録音を行うことができ、この動画を再生する際に、装置近辺の音声と被写体近辺の音声とのバランスがズーミングに合わせて変化して、より臨場感のある音声の再生を可能としている（特許文献１）。
【０００３】
【特許文献１】
実開平５−４８４７７号公報。
【０００４】
【発明が解決しようとする課題】
上述の特許文献１に記載のビデオカメラ装置は、撮影時のズーミングに合わせて、装置近辺の音声と被写体付近の音声とのバランスを変化させて収録しているため、画像に合致した音声が再生される。しかし、このズームにより画像と音声が一致するポイントは一定であり、たとえば再生画像に対してズーム操作を行っても、音声はこのズーム操作に応じず、装置近辺の音声、すなわち近距離の音声と、被写体付近の音声、すなわち遠距離の音声とのバランスは変化しない。このように、近距離音声および遠距離音声を収音できるにもかかわらず、有効に使用されないことがある。
【０００５】
本発明はこのような従来技術の欠点を解消し、近距離の音声と遠距離の音声とを別々に記録した音声データとともに動画を再生する際に、より臨場感をもたせることができる画像音声再生装置を提供することを目的とする。
【０００６】
【課題を解決するための手段】
本発明によれば、画像データ、ならびにこの画像データの被写界において手前側の音声を記録した近距離音声データおよび奥側の音声を記録した遠距離音声データを再生する際に、この画像データ、ならびにこの近距離音声データおよびこの遠距離音声データから、それぞれ画像信号、ならびに第１の音声信号および第２の音声信号を生成する信号処理手段を含む画像音声再生装置は、この画像データで表わされる画像の拡大および縮小を操作する操作手段と、第１の音声信号および第２の音声信号を合成処理して、第３の音声信号を出力する音声信号合成手段とを含み、この信号処理手段は、この操作手段の操作に応じて、この画像データで表わされる画像を変化させて画像信号を生成し、この近距離音声データおよびこの遠距離音声データで表わされる音声を変化させて、それぞれ第１の音声信号および第２の音声信号を生成することを特徴とする。
【０００７】
【発明の実施の形態】
次に添付図面を参照して本発明による画像音声再生装置の実施例を詳細に説明する。
【０００８】
画像音声再生装置が再生する音声には、本実施例では、被写界の奥側で記録した遠距離の音声、ならびに被写界の手前側で記録した近距離の左音声および右音声が用いられ、これらの３チャンネル入力に対応してステレオで２チャンネル出力している。しかし、本発明では、少なくとも、遠距離の音声および近距離の音声の２チャンネルに対応できればよいので、近距離の音声を１チャンネルにしてモノラルで１チャンネル出力してもよい。また、遠距離の音声に対して、左音声および右音声の２チャンネルを備えて入力音声を増やしてもよい。これらに伴って、音声信号増幅器や拡声器の数は変更される。
【０００９】
また、本発明は、動画像再生の際に、再生ズームの操作に応じて、被写体をズームアップまたはズームダウンして、それぞれ画像を拡大または縮小処理して表示させるものである。たとえば、操作者が再生ズーム操作装置４４を操作するとき、図２および図４に示すように、再生ズーム位置４６を標準状態４８に対してテレ（Ｔ）位置方向にする場合には、画像４０における被写体４２をズームアップさせ、ワイド（Ｗ）位置方向にする場合には、被写体４２をズームダウンさせて表示する。また、再生ズーム位置４６が標準状態４８上である場合には、被写体４２を、ズームアップおよびズームダウンをすることなく表示させる。
【００１０】
実施例の画像音声再生装置１０は、図１に示すように、情報記録媒体１８に記録された画像および音声データを信号処理部（Ｄｉｇｉｔａｌ  Ｓｉｇｎａｌ  Ｐｒｏｃｅｓｓｏｒ：  ＤＳＰ）１６において信号処理して、画像信号を出力し、音声信号をディジタル・アナログ（Ｄ／Ａ）変換器２２でアナログ音声信号へ変換し、左音声信号増幅器２４、右音声信号増幅器２６および遠距離音声信号増幅器２８で増幅または減衰し、ミキシング回路３０で合成処理して出力するものであり、特に、この再生の際に、操作部１２における再生ズーム操作の状態に応じて、主制御部１４が信号処理部１６、ならびに各音声信号増幅器２４、２６および２８を制御することによって出力する画像信号および音声信号を変化させる装置である。本実施例では、このように出力した画像信号を画像表示部２０において画像表示し、音声信号を左拡声器３２および右拡声器３４において発音する。なお、本発明の理解に直接関係のない部分は、図示を省略し、冗長な説明を避ける。
【００１１】
操作部１２は、操作者の手操作状態に応じた操作信号１０２を出力する機能を有し、本実施例では、再生ズーム操作装置４４を含んでいる。再生ズーム操作装置４４は、標準状態４８に対する再生ズーム位置４６が設定されるもので、この再生ズーム位置４６に応じてズームアップ再生またはズームダウン再生の指示を操作信号１０２によって出力する。たとえば図２および図４に示すように、再生ズーム位置４６が標準状態４８からテレ（Ｔ）位置側にあるときにはズームアップ再生を指示し、標準状態４８からワイド（Ｗ）位置側にあるときにはズームダウン再生を指示する。また、再生ズーム操作装置４４は、たとえば、ズームアップおよびズームダウンを指示するボタンによって、再生ズーム位置４４を設定するものでよい。なお、以下の説明において、各信号はその現れる接続線の参照番号で特定する。
【００１２】
主制御部１４は、本装置全体の動作を制御、統括する制御機能部であり、たとえばマイクロコンピュータなどが用いられる。主制御部１４は、特に本実施例では、供給される操作信号１０２に含まれる再生ズーム位置の状態に応じて、画像を変化させる制御信号１０４を出力し、また、音声を変化させる左音声制御信号１０６、右音声制御信号１０８および遠距離音声制御信号１１０を出力する。
【００１３】
信号処理部１６は、音声信号や画像信号などをディジタル信号処理する機能を有する。本実施例では、情報記録媒体１８から画像および音声データ１１２を読み込んで信号処理を施し、特に画像データに対して、制御信号１０４に応じた画像処理を施す。この結果として、左ディジタル音声信号１１６、右ディジタル音声信号１１８および遠距離ディジタル音声信号１２０、ならびに画像信号１１４を出力する。本実施例では、各音声信号１１６、１１８および１２０をＤ／Ａ変換器２２に供給し、画像信号１１４を画像表示部２０に供給しているが、この画像信号１１４は、端子を備えて外部に出力してもよい。
【００１４】
情報記録媒体１８は、画像信号および音声信号を記録する機能を有し、半導体メモリが搭載されたメモリカードや光磁気ディスク等の回転記録体を収容したパッケージなどが用いられ、着脱可能でもよい。本実施例では、動画像を記録したもので、画像データ、近距離の音声データおよび遠距離の音声データが記録されたものが用いられる。また、これらのデータは、動画像記録の際にズームなどを使用せず通常に記録したものでよい。
【００１５】
画像表示部２０は、入力された画像信号１１４に基づいて画像を表示する機能を有し、たとえば、液晶表示（Ｌｉｑｕｉｄ  Ｃｒｙｓｔａｌ  Ｄｉｓｐｌａｙ：  ＬＣＤ）パネルなどが用いられる。
【００１６】
左音声信号増幅器２４、右音声信号増幅器２６および遠距離音声信号増幅器２８は、音声信号などのアナログ信号を増幅または減衰する機能を有し、たとえばマイクアンプなどのアナログ増幅器でよい。各増幅器２４、２６および２８では、それぞれ左アナログ音声信号１２２、右アナログ音声信号１２４および遠距離アナログ音声信号１２６が入力し、たとえば左ゲイン、右ゲインおよび遠距離ゲインで増幅または減衰して左音声信号１２８、右音声信号１３０および遠距離音声信号１３２として出力する。これらの左ゲイン、右ゲインおよび遠距離ゲインは、それぞれ供給される左音声制御信号１０６、右音声制御信号１０８および遠距離音声制御信号１１０に応じて変動する。
【００１７】
ミキシング回路２６は、入力される音声信号を混合して合成処理する回路であり、たとえば、これによって近距離の音声信号と遠距離の音声信号とを混合する。本実施例では、近距離の左音声信号１２８および右音声信号１３０、ならびに遠距離音声信号１３２が入力される。これらを合成処理して、左出力音声信号１３４および右出力音声信号１３６を出力する。これらの各出力音声信号１３４および１３６は、本実施例では、それぞれ左拡声器３２および右拡声器３４に供給されて、左音声および右音声を発音させているが、端子を備えて外部に出力してもよい。
【００１８】
次に、この実施例における画像音声再生装置１０の動作を説明する。画像音声再生装置１０では、動画再生の際に、操作者が、操作部１２における再生ズーム操作装置４４を操作すると、再生ズームの状態を指示する操作信号１０２が、主制御部１４に入力する。このとき、操作信号１０２は、図２および図４に示すように、再生ズーム操作装置４４における再生ズーム位置４６が、標準状態４８よりテレ（Ｔ）位置側にあるときにはズームアップ再生を指示し、標準状態４８よりワイド（Ｗ）位置側にあるときにはズームダウン再生を指示する信号である。
【００１９】
主制御部１４では、この操作信号１０２が示す指示に応じた制御信号１０４が信号処理部１６に供給される。また、同様に、左音声制御信号１０６、右音声制御信号１０８および遠距離音声制御信号１１０が、それぞれ左音声信号増幅器２４、右音声信号増幅器２６および遠距離音声信号増幅器２８に供給される。
【００２０】
制御信号１０４は、再生ズームの指示がズームアップ再生である場合に画像４０を拡大させ、ズームダウン再生である場合には画像４０を縮小させるように信号処理部１６を制御する信号である。
【００２１】
また、左音声制御信号１０６および右音声制御信号１０８は、図３に示すように、ズームアップ再生のときには左音量５２および右音量５４を減少させ、図５に示すように、ズームダウン再生のときには左音量５２および右音量５４を増大させて、音量バランスを調整し、左音声信号増幅器２４および右音声信号増幅器２６を制御する信号である。遠距離音声制御信号１１０は、図３に示すように、ズームアップ再生のときには遠距離音量５６を増大させ、図５に示すように、ズームダウン再生のときには遠距離音量５６を減少させて音量バランスを調整し、遠距離音声信号増幅器２８を制御する信号である。これらの音声制御信号１０６、１０８および１１０は、それぞれ左音声信号増幅器２４における左ゲイン、右音声信号増幅器２６における右ゲイン、および遠距離音声信号増幅器２８における遠距離ゲインを制御するものでよい。
【００２２】
ところで、信号処理部１６では、情報記録媒体１８から画像および音声データ１１２が読み込まれて、ディジタル信号処理される。このとき画像データは、上記の制御信号１０４に基づいて拡大または縮小などの画像処理もされて、再生ズームに応じた画像信号１１４として画像表示部２０に出力される。一方、音声データは、左ディジタル音声信号１１６、右ディジタル音声信号１１８および遠距離ディジタル音声信号１２０としてＤ／Ａ変換器２２に供給され、それぞれ左アナログ音声信号１２２、右アナログ音声信号１２４および遠距離アナログ音声信号１２６に変換される。
【００２３】
各アナログ音声信号１２２、１２４および１２６は、それぞれ左音声信号増幅器２４、右音声信号増幅器２６および遠距離音声信号増幅器２８に供給される。ここで、それぞれ左ゲイン、右ゲインおよび遠距離ゲインによって増幅または減衰され、すなわち、再生ズームに応じて、左音声信号１２８および右音声信号１３０と、遠距離音声信号１３２とが、相対的に増幅および減衰されて生成される。
【００２４】
これらの音声信号１２８、１３０および１３２は、ミキシング回路３０に供給され、合成処理される。これによって、左音声信号１２８と遠距離音声信号１３２とをミキシングした左出力音声信号１３４、および右音声信号１３０と遠距離音声信号１３２とをミキシングした右出力音声信号１３６が出力され、それぞれ左拡声器３２および右拡声器３４に供給される。
【００２５】
このとき、左拡声器３２および右拡声器３４のそれぞれにおける左出力音声信号１３４および右出力音声信号１３６の発音と、上記で画像表示部２０に出力された画像信号１１４の表示とが、同じタイミングであるように、本装置１０が全体として調整される。
【００２６】
【発明の効果】
このように本発明によれば、画像音声再生装置は、近距離および遠距離の音声を別々に記録した音声データとともに動画像を再生する際に、再生ズーム操作に応じて、画像を拡大または縮小させ、近距離および遠距離の音声の音量バランスを変化させることによって、臨場感を伴った画像および音声信号を再生することができる。
【００２７】
本装置を用いると、動画記録時にズームなどのユーザ操作を要することなく、さらに、再生時にズーム操作を行うために、操作のやり直しが可能である。
【００２８】
本装置は、ディジタルカメラでの音声付き動画の再生に特に有効に適用されるが、静止画とそれに関連する音声との組み合わせにも適用することができ、たとえば講演会の録音などに用いてもよい。
【００２９】
また、再生ズームを使用する際に、画像信号および音声信号の出力を、たとえば、記録装置の入力に接続して、動画像の切り出しや、ミキシング後の音声を記録することができ、要所の記録に用いることができる。
【図面の簡単な説明】
【図１】本発明に係る画像音声再生装置の一実施例を示すブロック図である。
【図２】図１に示す実施例の画像音声再生装置において、再生ズームがテレ位置方向に操作されたときの画像の例を示す説明図である。
【図３】図１に示す実施例の画像音声再生装置において、再生ズームがテレ位置方向に操作されたときの近距離の左音量および右音量、ならびに遠距離の音量のバランスを示す、図２に対応した説明図である。
【図４】図１に示す実施例の画像音声再生装置において、再生ズームがワイド位置方向に操作されたときの画像の例を示す説明図である。
【図５】図１に示す実施例の画像音声再生装置において、再生ズームがワイド位置方向に操作されたときの近距離の左音量および右音量、ならびに遠距離の音量のバランスを示す、図４に対応した説明図である。
【符号の説明】
１０  画像音声再生装置
１２  操作部
１４  主制御部
１６  信号処理部
１８  情報記録媒体
２０  画像表示部
２２  ディジタル・アナログ変換器
２４  左音声信号増幅器
２６  右音声信号増幅器
２８  遠距離音声信号増幅器
３０  ミキシング回路
３２  左拡声器
３４  右拡声器
【図１】
2004343293.tif 000003
【図２】
2004343293.tif 000004
【図３】
2004343293.tif 000005
【図４】
2004343293.tif 000006
【図５】
2004343293.tif 000007